Podtech/llm-jp-corpus-v4-ja_patent huggingface dataset:
(57)【要約】【課題】使い勝手の良い洗浄具を提供すること。【解決手段】把手付きの洗浄液タンク２０と、洗浄液タンク２０に封着される洗浄体付き蓋体３０とを有する洗浄具１０であって、蓋体３０の表裏両側に洗浄体３２Ａ、３２Ｂを備え、該蓋体３０を表裏反転して洗浄液タンク２０に封着可能にするもの。【選択図】  図２
2004222748.tif 000002
【特許請求の範囲】
【請求項１】
把手付きの洗浄液タンクと、洗浄液タンクに封着される洗浄体付き蓋体とを有する洗浄具であって、前記蓋体の表裏両側に洗浄体を備え、該蓋体を表裏反転して洗浄液タンクに封着可能にする洗浄具。
【請求項２】
前記洗浄液タンクの内部に、洗浄液タンクの内部に臨む洗浄体を叩く打撃体を内蔵してなる請求項１に記載の洗浄具。
【発明の詳細な説明】
【０００１】
【発明の属する技術分野】
本発明は床、壁、車等の洗浄に用いて好適な洗浄具に関する。
【０００２】
【従来の技術】
一般に、車等の洗浄に際しては、洗浄液を入れるバケツと、布切れ等の洗浄体を併用している。バケツを持ちながら洗車することには困難があるから、洗浄体が一定以上汚れる度にバケツに戻り、洗浄体の汚れ洗いと洗浄液の補給を行なっており、洗浄作業性が悪い。
【０００３】
特許文献１では、洗浄作業性の向上を図った洗浄具として、洗浄液容器に洗浄体を取付けて洗浄液を洗浄体に供給するとともに、水ホースを洗浄体に結合して外水を洗浄体に導くものを開示している。
【０００４】
【特許文献１】
特開平１０−９９２５２（［００１３］、図４）
【０００５】
【発明が解決しようとする課題】
特許文献１の洗浄具は、水ホースの接続先となる水道管がないところでは使用できないし、水ホースの長さ範囲でしか使用できない。
【０００６】
本発明の課題は、使い勝手の良い洗浄具を提供することにある。
【０００７】
【課題を解決するための手段】
請求項１の発明は、把手付きの洗浄液タンクと、洗浄液タンクに封着される洗浄体付き蓋体とを有する洗浄具であって、前記蓋体の表裏両側に洗浄体を備え、該蓋体を表裏反転して洗浄液タンクに封着可能にするようにしたものである。
【０００８】
【発明の実施の形態】
洗浄具１０は、図１〜図３に示す如く、洗浄液タンク２０と蓋体３０とを有する。
【０００９】
洗浄液タンク２０は、洗浄液Ｌ（例えば洗剤水溶液）を収容するタンク本体２１に把手２２を備える。
【００１０】
タンク本体２１の開口内周部には、蓋体３０のための環状のシール溝２１Ａが設けられる。
【００１１】
蓋体３０は、洗浄液を浸透させない蓋本体３１の両面のそれぞれに洗浄体３２Ａ、３２Ｂを固定的（着脱できても可）に貼着されて備える。蓋本体３１は洗浄体３２Ａの貼着面側の外周部に、洗浄液タンク２０のシール溝２１Ａに液密に封着される環状のシール突条部３１Ａを備えるとともに、洗浄体３２Ｂの貼着面側の外周部に、洗浄液タンク２０のシール溝２１Ａに液密に封着される環状のシール突条部３１Ｂを備える。
【００１２】
洗浄体３２Ａ、３２Ｂは、洗浄液を浸透させて保持し、床、壁、車等の表面の汚れを除去する機能を有するものであり、スポンジ、アクリル毛糸、織布、不織布等を採用できる。
【００１３】
洗浄具１０は、洗浄液タンク２０のタンク内に、タンク内に臨む洗浄体３２Ａ又は３２Ｂを叩く打撃体３３を内蔵し、それらの洗浄体３２Ａ又は３２Ｂに付着した汚れを洗浄液中で搾り出し除去する。打撃体３３は、例えばタンク内を自由に転動するステンレス鋼球又はセラミック球にて構成できる。打撃体３３としては、球体に限らず、棒状態、塊状態でも良い。
【００１４】
洗浄具１０の使用手順は以下の通りになる。
（１）洗浄液タンク２０に蓋体３０を封着し、把手２２を持ってタンク本体２１を揺動し、タンクの内部に臨んでいる洗浄体３２Ａ（又は３２Ｂ）にタンク内の洗浄液を浸透させる。蓋体３０を洗浄液タンク２０から一旦外し、蓋体３０を表裏反転して再び洗浄液タンク２０に封着する。これにより、洗浄液を供給された洗浄体３２Ａが洗浄液タンク２０の外部に臨む。
【００１５】
（２）把手２２を持って上述（１）の洗浄体３２Ａにより床、壁、車等の洗浄を行なう。
【００１６】
（３）上述（２）の洗浄体３２Ａが一定以上汚れてきたら、蓋体３０を洗浄液タンク２０から再び外し、蓋体３０を表裏反転して再び洗浄液タンク２０に封着する。これにより、洗浄液が供給されていた新たな洗浄体３２Ｂが洗浄液タンク２０の外部に臨み、汚れた洗浄体３２Ａは洗浄液タンク２０の内部に臨む。新たな洗浄体３２Ｂにより上述（２）の如くに床、壁、車等の洗浄を行なう。
【００１７】
（４）上述（３）の洗浄体３２Ｂによる洗浄中に、洗浄液タンク２０の内部に臨む洗浄体３２Ａの汚れ洗いと洗浄液の補給が行なわれる。洗浄体３２Ａの汚れは、洗浄体３２Ｂによる洗浄動作に伴なうタンク内の洗浄液の揺れ動き、及び打撃体３３の転動に基づく叩き動作により洗浄液中に搾り出されて除去される。
【００１８】
以後、洗浄中の洗浄体３２Ａ又は３２Ｂが一定以上汚れる度に、洗浄液タンク２０内の洗浄液が汚れ切るまで、上述（３）、（４）を繰り返す。
【００１９】
本実施形態によれば以下の作用効果がある。
（請求項１に対応する作用効果）
▲１▼洗浄具１０は、洗浄液タンク２０に封着される蓋体３０の外部に臨む側の洗浄体３２Ａ（又は３２Ｂ）により床、壁、車等を洗浄し、その洗浄体３２Ａ（又は３２Ｂ）が一定以上汚れる度に、蓋体３０を表裏反転し、新たに外部に臨むこととなる他の洗浄体３２Ｂ（又は３２Ａ）により洗浄を続けることができる。
【００２０】
▲２▼洗浄体３２Ａ（又は３２Ｂ）の汚れ洗いと洗浄液の補給は、当該洗浄体３２Ａ（又は３２Ｂ）が蓋体３０の表裏反転により洗浄液タンク２０の内部に臨むこととなったときに、換言すれば他の洗浄体３２Ｂ（又は３２Ａ）による床、壁、車等の洗浄作業中に、タンク内の洗浄液によってなされる。
【００２１】
▲３▼洗浄体３２Ａ（又は３２Ｂ）の汚れ洗いと洗浄液の補給を、上述▲２▼の如くに洗浄具１０そのものの中で行ない、しかも他の洗浄体３２Ｂ（又は３２Ａ）による洗浄作業中に、その洗浄動作に起因するタンク内の洗浄液の揺れ動きを利用して当該洗浄体３２Ａ（又は３２Ｂ）を汚れ洗いでき、洗浄作業性が良い。水ホースを併用しないから、使用範囲を制限されず、使い勝手が良い。
【００２２】
（請求項２に対応する作用効果）
▲４▼洗浄液タンク２０の内部に臨む洗浄体３２Ａ（又は３２Ｂ）が、洗浄具１０の他の洗浄体３２Ｂ（又は３２Ａ）による床、壁、車等の洗浄に伴なってタンク内で揺れ動く洗浄液に浸漬しながら、タンク内の打撃体３３によって叩かれて汚れを搾り出される（図２）から、当該洗浄体３２Ａ（又は３２Ｂ）の汚れ洗いの促進を図ることができる。
【００２３】
【発明の効果】
本発明によれば、使い勝手の良い洗浄具を得ることができる。
【図面の簡単な説明】
【図１】図１は洗浄具を示す断面図である。
【図２】図２は洗浄具の使用状態を示す断面図である。
【図３】図３は洗浄具の洗浄体着脱状態を示す斜視図である。
【符号の説明】
１０  洗浄具
２０  洗浄液タンク
２２  把手
３０  蓋体
３２Ａ、３２Ｂ  洗浄体
３３  打撃体
【図１】
2004222748.tif 000003
【図２】
2004222748.tif 000004
【図３】
2004222748.tif 000005
(57)【要約】（課題）従来の日本酒は体に良い物とは言えなかった。（解決手段）黒豆を材料に使用する事により黒豆の薬効成分のある日本酒となり体のためにも良い。【特許請求の範囲】
【請求項１】
日本酒の醸造工程時に生黒豆を材料として使用する
【発明の詳細な説明】
【０００１】
（発明に属する技術分野）本発明は日本酒の醸造工程の際、生の黒豆を米糀と一緒に使用し日本酒を醸造する。
【０００２】
（従来の技術）米糀と水のみ材料とした日本酒の醸造工程である。
【０００３】
（発明の実施の形態）
【０００４】
（発明の効果）
黒豆の持つ薬用成分のある日本酒のため生活習慣病等の予防に役立つと考えられる。
(57)【要約】【課  題】従来の植木鉢は水受け用の皿を別々に取り揃える必要があり、とりわけ室内で園芸を行う時に材料や道具を用意する時の障害ともなっていた。また水受け用の皿が浅いため少しの衝撃で水がこぼれることもあった。これを解決するため、水がこぼれにくく、室内での園芸に適した植木鉢を提供する。【解決手段】内側容器（１）を支える外側容器（２）の内部に複数の隆起した形状を設け、容器同士の間にすき間を確保し、植物の根の生長に重要な通気性を高めたこと、水受け用容器兼植木鉢カバーとしての容器と植物を植えつける容器を一体的に組み合わせたことを特徴とする。【選択図】図９
2004222711.tif 000002
【特許請求の範囲】
【請求項１】
草花・野菜の種子、球根、苗、樹木等の植物を植えつける内側容器（１）と、その内側容器（１）を空間にとどめ置くために、数箇所の隆起した形状を内部に設けた外側容器（２）を一体的に組み合わせた植木鉢。
【発明の詳細な説明】
【０００１】
【発明の属する技術分野】
この発明は、室外はもちろんのこと室内でも手軽に園芸を楽しむことのできるようにした、水受け用容器と植物を植えつける容器からなる植木鉢に関するものである。
【０００２】
【従来の技術】
従来は園芸に取り組もうとすると、種子、球根、苗等の他に、植木鉢、土・培養土、肥料などの材料や道具を個別に揃える必要があった。その上、室内で園芸を行う時は、植木鉢から水が染み出しても植木鉢を置いた床や机や棚などが濡れないように植木鉢の下に置いて水を受ける皿が必要であった。
また、市場においては植木鉢と水受け用の皿の両方を一緒に取り扱っている小売店のみではなく、植木鉢だけの取り扱いにとどまる小売店も存在しており、庭やベランダのない住環境においては室内での園芸を楽しむことについて材料や道具を揃えることの障害ともなっていた。
【０００３】
【問題が解決しようとする課題】
従来の植木鉢には次のような欠点があった。
イ．園芸を行う時に、植木鉢の他に植木鉢から染み出す水を受ける皿を準備するとなると、両方を一緒に取り扱っている小売店がない場合は、揃えるのに手間がかかることがあった。
ロ．道具や材料を揃えるのに手間がかかることで室内での園芸を断念することもあった。
ハ．植木鉢の下に設置して水を受ける皿は深さが浅くなっているため、衝撃によっては水がこぼれてしまうことがあった。
ニ．水もれを防ぐために深さのある容器を揃えようとしても、植木鉢の大きさに適する寸法の容器を探すことは困難であった。
ホ．運良く植木鉢と同じような大きさの容器を入手できたとしても、使用する時は、紙コップを積み重ねるような形での使用となるため、植物の根にとって重要な通気性が損なわれることになっていた。
本発明は以上の欠点を解決し、手軽に室内でも園芸を楽しめるようにしたものである。
【０００４】
【課題を解決するための手段】
草花・野菜の種子、球根、苗等を植えつける内側容器（１）を空間にとどめ置くために、外側容器（２）の内部に数箇所の隆起した形状を設ける。
本発明は、以上の構成よりなる水受け用容器と一体的な植木鉢である。
【０００５】
【発明の実施の形態】
以下、本発明の実施の形態を説明する。
草花・野菜の種子、球根、苗等を植えつける内側容器（１）を空間にとどめ置くために、外側容器（２）の内部に数箇所の隆起した形状を設ける。
外側容器（２）の内側に組み込むように内側容器（１）を入れ込む。
本発明は、以上の構成よりなっている。
本発明を使用するときは、外側容器（２）に内側容器（１）を入れ込み、内側容器（１）に土・培養土を入れ、種子や球根を植えつける。あとは水を注ぐだけで発芽を促すことになる。また、苗や苗木等も同様に植えつけることができる。
内側容器（１）と外側容器（２）が密着することなく、すき間があるため通気性が確保でき、植物の生育上好ましいことになる
なお、外側容器（２）は内側容器（１）のカバーとしての役割も有することから、内側容器（１）の底面部のみならず、側面部にも排水用の穴を設けたり、底面部・側面部を網目状に加工したりする場合でも全体の美観を損なうことなく、植物の生長にとっての排水性や通気性の向上を確保することができる。
内側容器（１）を支える外側容器（２）内部に設ける隆起した形状は、二箇所では不安定であるが、三箇所以上であれば、四箇所でも五箇所でも構わない。
また、種子や球根を植えつけた内側容器（１）に水を注いだ後、発芽までの乾燥を防ぐためにフタをつけるのも良いし、外側容器（２）の上部に複数の穴を設け、そこへひもを通すことで吊り下げるといった使い方もできる。
さらに、本発明品に適した量の土・培養土や肥料、種子・球根をあらかじめ組み合わせて提供することで、それらを個別に揃える手段のなかった人々へも園芸を楽しむ機会を提供することができる。
【０００６】
【発明の効果】
本発明を使用することによって、植木鉢と水受け皿を別々に揃える必要はなく、手軽に、また室内でも園芸を楽しむことができる。
水受け用容器部分に水があっても、少々の衝撃では水がこぼれることはなく、インテリアとしても十分に機能するものである。
さらに、本発明に土・培養土や肥料や種子・球根をあらかじめセットして提供することで、園芸のための材料や道具が全て揃うことになり、園芸を楽しむ人々の底辺拡大に寄与できる。
【図面の簡単な説明】
【図１】本発明の実施形態を示す正面図
【図２】本発明の実施形態を示す背面図
【図３】本発明の実施形態を示す右側面図
【図４】本発明の実施形態を示す左側面図
【図５】本発明の実施形態を示す平面図
【図６】本発明の実施形態を示す底面図
【図７】図１におけるＡ−Ａ線断面図
【図８】図４におけるＢ−Ｂ線断面図
【図９】内側容器と外側容器の斜視図
【図１０】使用状態を示す参考図
【符号の説明】
１  内側容器
２  外側容器
【図１】
2004222711.tif 000003
【図２】
2004222711.tif 000004
【図３】
2004222711.tif 000005
【図４】
2004222711.tif 000006
【図５】
2004222711.tif 000007
【図６】
2004222711.tif 000008
【図７】
2004222711.tif 000009
【図８】
2004222711.tif 000010
【図９】
2004222711.tif 000011
【図１０】
2004222711.tif 000012
(57)【要約】【課題】地上の建物、ハウス等は、全て空調、冷暖房の配慮がなされ何らかの方法で機能させる事は必然で空調、冷暖房に必要とされる経費は必ず発生し、膨大な電力を消費します。ハウス栽培の野菜、茸、花木等も空調、冷暖房が必要で設備、施設、光熱費と高額な費用を注ぎ込む状況です。【解決手段】大地の地中温度と同じ地下水の熱を利用するチューブハウスです。地下水をポンプで揚水しハウスの外壁層内（プラスチックチューブ）を循環させ、室内はチューブからの放熱により地下水温に近づきます。一定量循環している間は１５℃前後に保たれます。送水量を増減する事で、室温調整が出来ます。チューブを透明にする事で、太陽光が透過し、照明、光合成も可能で、栽培条件を満たします。半透明、遮光等使うと太陽熱エネルギーをチューブに蓄えて、室温を上昇させる事も出来ます。構造もシンプルで、構成する部材も簡単な組合わせで、短期間で構築でき、低コストが望めます。【選択図】          図２
2004222712.tif 000002
【特許請求の範囲】
【請求項１】
地下水を揚水し、その地下水を、ハウス外壁層内に循環させ、その水温を利用し、室温を一定に保たせ、又循環する地下水の水量の増減により、室温が調整できる水囲いのハウス。
【請求項２】
地下水を揚水し、ポンプにてハウス屋根外壁層と周囲外壁層に地下水を満たし、ハウスを覆う。外壁層の構造はチューブ（筒形状物）で構築する。チューブ内の地下水を循環させる為の手段は、横に束ねたチューブ内に蛇の歩みのごとく往復させて、送水する。チューブ内の地下水が循環し続けることで、ハウス室温は、一定の温度を維持する。又、チューブ内の地下水の送水量を調整することにより、温度調整をする、機能を持つ、請求項１の水囲いのハウス。
【請求項３】
請求項１の水囲いのハウスの外壁層の構造として、チューブの他、ブロック形状の中空箱を用いて構築する。
【請求項４】
請求項１の水囲いのハウスの外壁層内の循環の手段として、渦巻き状の送水する方法がある。
【請求項５】
請求項１の水囲いのハウスの用途として、栽培ハウス、茸栽培、住宅、工場、スポーツ、研究施設に利用する。
【請求項６】
請求項１の水囲いのハウスの冷暖房の方法として、地下水をポンプにて揚水し、地上のハウス外周に張り巡らせた、円筒状のプラスチックチューブ内に地下水を満たし循環させる。地下水温はチューブの表面より放熱し、ハウス室内は地下水温に近づき、ハウス内は、一定温度を保つことが出来る。ハウス室内の温度の調整は、循環する送水量を増減、又は送水を停止する事により、外気温と太陽熱の影響を利用し室温をコントロールすることが出来る。このような機能を持つ、ハウス用冷暖房の方法。
【発明の詳細な説明】
【０００１】
【発明の属する技術分野】本発明は、ハウスの冷暖房補助として、地下水をハウスの外壁層内に循環させ、室温をコントロールする地下水熱源空調に関するものです。
【０００２】
【従来の技術】ガラス温室や栽培用ハウスの周囲皮膜材は、一般的に薄いので外気温、太陽熱の影響を受け、室温調整に苦労しています。夏暑く、冬冷たく、昼夜の温度差も著しく変化します。その為、規模の大きい暖房機、冷房機の設置必要が生じ、又温度調整のために換気を頻繁に繰り返す必要もありました。
【０００３】
【発明が解決しようとする課題】栽培ハウスの空調機械、設備、建設費、光熱費は高額です。この発明で経費削減が望めます。又、空調冷暖房の燃料は、軽油か重油が主流です。地球環境、農業環境を考慮した場合、化石エネルギーの投入を最小限にする必要があります。
【０００４】
【課題を解決するための手段】大地の地中温度と同じ地下水の熱を利用。
ポンプにて揚水し、地上のハウスの外壁層（プラスチックチューブ）内を循環させると室内は、チューブからの放熱によって地下水温に近づきます。又、ハウスの壁を水で覆うことは、水が断熱材となり外気温の影響を少なくします。地下水が循環している間は、室内は１４〜１６℃の温度に保たれます。循環させる送水量を増減することで、室温調整ができます。チューブを透明、半透明、遮光に使い分けると、太陽光熱エネルギーをチューブ内に蓄えて、さらに室温を上昇させる事も出来ますし、照明、光合成の条件も満たすことが出来て、栽培の環境を満たす事が出来ます。ハウスで循環した後の地下水は、井水還元方式を採用して地中に戻します。
【０００５】
【発明の実施の形態】給水井戸９から、水中ポンプ４にて、地下水１を揚水します。水量調整機５を経て、地上のハウス外壁層のチューブ８内に水を充たし、ハウスを水で覆う。地下水をチューブ内で循環させる手段は、横に束ねたチューブ８に蛇の歩みのように、往復させて送水する。地下水を水量調整機５で送水量を調整することで、室温の調整をする。ハウス外壁層チューブ８と連結箱６とを繋ぎ、締めバンド７を用いて固定する。連結箱６は入口と出口のある構造を有する。循環する地下水２は、自身の水温を放出しつつ、ハウスの室温調整の役目を終了した後、還元井戸１０を経て、地下の帯水層に還元する。
【０００６】
【発明の効果】地下水温の利用ですから、エネルギーは、ほぼ無尽蔵にあり、化石燃料を使わず、エネルギーがクリーンです。又、地球上どこでも、地下水があれば使用は可能です。ハウス外壁チューブ内に地下水を送り続ける事で、ハウス室温を年間平均気温に近い１５℃前後に３６５日昼夜連続して、維持することが可能になります。１５℃前後であらかた予冷、予暖房温度になっておりますから、希望の温度にする場合、僅かなエネルギーの投入で済み光熱費の大幅な節約になります。ハウスの構造もシンプルで、構成する部材も簡単な組み合わせですので、短期間に構築でき、従来の建設費より低コストが望めます。施設園芸、農業ハウス、きのこ栽培施設の他にも、利用可能な建物、施設も限りなく考えられます。他にも、利用可能な建物、施設も限りなく考えられます。チューブ内に送り込む水量を調整することにより、温度調整が出来、チューブの外壁皮膜材を透明にすることで太陽光が透過し、照明、光合成等、可能です。
太陽光熱エネルギーもチューブ内に蓄える事が出来、室内をさらに暖房することが出来ます。水の壁が防音材となって室内は静寂な空間を創造します。
【図面の簡単な説明】
【図１】断面図  概要説明
【図２】俯瞰図  建物姿図
【図３】俯瞰図  構成部品図
【符号の説明】
１．供給される地下水
２．循環する地下水
３．還元された地下水
５．水量調整機
６．連結箱
７．締めバンド
８．ハウス外壁層のチューブ
９．給水井戸
１０．還元井戸
【図１】
2004222712.tif 000003
【図２】
2004222712.tif 000004
【図３】
2004222712.tif 000005
(57)【要約】      （修正有）【課題】散歩中の犬の糞を簡便な手段で回収し持ち帰ることが出来る、犬の引綱兼用の空中糞取具を提供する。【解決手段】犬の引綱３の最終部分の輪８にビニール等の口ヒモをつけた袋をかぶせて、該袋で散歩中の犬が出す大便を空中で受け止める。袋は口ヒモを持ち上げてると自動的に口が締まりよう構成されており、口ヒモを持ち上げることにより自動的に口が締まった袋を引綱３の途中に設けたかぎ状の環４にかけて、持ち帰ることが出来る犬の引綱兼用の空中糞取具である。【選択図】図２
2004222716.tif 000002
【特許請求の範囲】
【請求項１】
空中糞取具は、犬の引綱を利用して引綱の最終部分の輪になった握り手の部分の輪に（針金又はワイヤー等で補強又引綱自体に熱補強）ビニール等の口ヒモを付けた袋をかぶせて、犬の大便を空中で受溜める後に口ひもを持ち上げ自動的に口がしまる後に引綱の途中に設けたかぎ状の環にかけて持ち帰り処理する又引綱の途中にもう一カ所の輪の部分でも糞を回収する事が出来る
【発明の詳細な説明】
【０００１】
〔発明に関する技術分野〕
この発明は、犬の散歩中の大便をその犬の引綱を利用して引綱の最終部分の握り手と引綱の途中に設けた別の輪の部分（針金又ワイヤーと引綱自体に熱補強して堅くした）に口ひも付きの袋で空中で糞を回収し引綱の途中に設けたかぎ状の環にかけて持ち帰る後に自宅で処理する引綱兼用の空中糞取具に関するものである
【０００２】
〔従来の技術〕
従来の犬の大便は散歩中には一旦路上に落として道路等を汚した後に直接手と紙又はスコップ、ショベル等で回収していたのみである
【０００３】
〔発明が解決しようとする課題〕
従来のスコップ又は手での回収では路上に汚物が残り街の美化に反し、非衛生的である他に、一緒に散歩する飼主にも精神的な負担をかけてきた  本発明はその欠点を除く
【０００４】
〔課題を解決するための手段〕
散歩には付きものである引綱を利用して２ヶ所の糞取具を設けた事が画期的解決手段、空中で受溜めて回収した口ヒモ付の袋は引綱の途中に設けたかぎ状の環に袋をかけて持ち帰ることが尚、簡便な手段である
【０００５】
〔発明の実施の形態〕
以下は本発明の実施の形態について説明する
犬の引綱の最終部分の握り手の輪（針金又ワイヤー又綱自体を熱補強）にビニール袋の口ヒモ付きを上よりかぶせて又引綱の途中に設けた同じような輪（針金、ワイヤー熱補強）にやはり上よりかぶせて糞を回収後、袋の口ヒモを引き上げて口を締め引綱の途中に設けた袋かけ部分にかけて持ち帰る
【０００６】
〔発明の効果〕
路上を汚さず散歩用の引綱で別に用具が必要なく、簡便で飼主の散歩中のストレスを除き楽しく街も汚れない効果がある
【図面の簡単な説明】
【図１】本発明の分解斜視図である
【図２】本発明の正面図である
【図３】本発明の断面図である
【図４】本発明の糞受溜めの口ヒモ付きの袋である
【符号の説明】
１  首輪にけい留かぎ            ５  引綱の折曲部分の補強又化粧皮かく部分
２  かぎと綱とのけい留部分      ６  かぎ状になった回収後の袋かけ部分
３  引  綱                      ７  最終握り手折曲部分の補強皮
2004222716.tif 000003
【図１】
2004222716.tif 000004
【図２】
2004222716.tif 000005
【図３】
2004222716.tif 000006
【図４】
2004222716.tif 000007
【手続補正書】
【提出日】平成15年2月21日(2003.2.21)
【手続補正１】
【補正対象書類名】明細書
【補正対象項目名】０００１
【補正方法】変更
【補正の内容】
【０００１】
〔発明に関する技術分野〕
この発明は犬の散歩中の犬の大便をその犬の引綱を利用して引綱の最終部分の輪になった握り手の部分と引綱の途中に設けた輪（いずれも、針金、ワイヤー、樹脂化、プラスチック又はナイロン、ビニールのテグス等で補強）の部分にナイロン又はポリ等の袋に口ヒモを付けて前記の輪に上よりかぶせて犬猫の糞を回収した後に口ヒモを持ち上げて袋の口を締めて自宅等で処理する。


【手続補正２】
【補正対象書類名】明細書
【補正対象項目名】０００５
【補正方法】変更
【補正の内容】
【０００５】
〔発明の実施の形態〕
犬の引綱の最終部分と引綱の途中に設けたリング状の輪（針金、ワイヤー、樹脂化、プラスチック又はナイロン、ビニール他のテグス等により補強した）の部分にナイロン又はポリ等による袋に口ヒモをつけて上よりかぶせて糞回収の後に口ヒモを持ち上げて口を締めてこれも引網の途中に設けたナスカンにかけて持ち帰り処理する。


【手続補正３】
【補正対象書類名】明細書
【補正対象項目名】請求項１
【補正方法】変更
【補正の内容】
【請求項１】
空中糞取具は、犬の引綱を利用して、引綱の最終部分の握り手の輪と引綱の途中に設けたもう一ヶ所の輪（いずれも針金、プラスチック、ワイヤー、綱自体の樹脂化又はナイロン、ビニール他の材料のテグス等で補強）にポリ又はビニール等の袋（口ヒモ付）をかぶせて犬の糞を回収後、袋の口ヒモを持ち上げて口を締め引網の途中に設けたナスカンにかけて持ち帰り処理する。
(57)【要約】【課題】２人用茶刈り機を用いて茶園の摘採を行う時、往路と復路に於いて茶園中央部寄りから延びる可動式取っ手から地面までの高さが同じになるよう、上下２段の可動式取っ手を設けた取っ手２段式茶刈り機を提供する。【解決手段】２人用茶刈り機（１）の茶園中央部寄りから延びる可動式取っ手（２）の上段に可動式取っ手（３）を設けたことを特徴とする。【選択図】      図１
2004222714.tif 000002
【特許請求の範囲】
【請求項１】
２人用茶刈り機（１）の茶園中央部寄りから延びる可動式取っ手（２）を２段式にした取っ手２段式茶刈り機。
【請求項２】
新たに設ける茶園中央部寄りから延びる可動式取っ手をＬ字型（３）にする。
【発明の詳細な説明】
【０００１】
【発明の属する技術分野】
この発明は、２人用茶刈り機の茶園中央部寄りから延びる可動式取っ手を２段式にした取っ手２段式茶刈り機に関するものである。
【０００２】
【従来の技術】
従来の２人用茶刈り機は、茶園中央部寄り及び、茶園端部寄りから延びる可動式取っ手がともに一つづつであった。
【０００３】
【発明が解決しようとする課題】
これは次のような欠点があった。
２人用茶刈り機による茶園の摘採は、往復することにより行っているが茶園が傾斜地にある場合、往路と復路での茶園中央部寄りから延びる可動式取っ手から地面までの高さが違っていた。
本発明は、以上のような欠点をなくすためになされたものである。
【０００４】
【課題を解決するための手段】
２人用茶刈り機（１）の茶園中央部寄りから延びる可動式取っ手（２）のほかに新たに可動式Ｌ字型取っ手（３）を設ける。
本発明は、以上の構成よりなる取っ手２段式茶刈り機である。
【０００５】
【発明の実施の形態】
以下、本発明の実施の形態について説明する。
２人用茶刈り機（１）の茶園中央部寄りから延びる可動式取っ手（２）のほかに新たに可動式Ｌ字型取っ手（３）を設ける。
本発明は、以上のような構成でこれを使用するときは、傾斜地の茶園に於いて先ず、茶園中央部寄りから延びる可動式取っ手（２）を谷側（傾斜地の低くなっている側）に持っていき、茶園中央部寄りから延びる取って（２）の高さ調節を行う。次に茶園中央部寄りから延びる可動式取っ手（２）を山側（傾斜地の高くなっている側）に持っていき、可動式Ｌ字型取っ手（３）の高さ調節を行う。
その結果、往路（谷側）の茶園中央部寄りから延びる可動式取っ手（２）から地面までの高さと、復路（山側）の可動式Ｌ字型取っ手（３）から地面までの高さを同じにすることができる。
【０００６】
【発明の効果】
取っ手から地面までの高さが同じになることにより作業者の姿勢が安定し、作業負担を軽減できる。
作業者の姿勢が安定することにより茶園の摘採面が一定となり、摘採茶葉の品質が向上する。
往路と復路に於いて茶園中央部寄りから延びる可動式取っ手（２）の高さ調節を行っていた者については、作業時間の短縮となる。
新たに設けた茶園中央部寄りから延びる可動式取っ手をＬ字型にすることにより、急傾斜地の茶園に於いて、茶園中央部寄りから延びる可動式Ｌ字型取っ手（３）を谷側に持ってきた場合、茶園中央部寄りから延びる可動式取っ手（２）が茶園より高く保つことが出来る。
【図面の簡単な説明】
【図１】可動式Ｌ字型取っ手（３）を可動式取っ手（２）に取り付けた斜視図である。
【図２】２人用茶刈り機本体の斜視図である。
【符号の説明】
１  ２人用茶刈り機本体
２  茶園中央部寄りから延びる可動式取っ手
３  茶園中央部寄りから延びる可動式Ｌ字型取っ手
【図１】
2004222714.tif 000003
【図２】
2004222714.tif 000004
【手続補正書】
【提出日】平成15年2月20日(2003.2.20)
【手続補正１】
【補正対象書類名】明細書
【補正対象項目名】全文
【補正方法】変更
【補正の内容】
【特許請求の範囲】
【請求項１】２人用茶刈り機（１）の茶園中央部寄りから延びる可動式取っ手（２）を２段式にした取っ手２段式茶刈り機。
【発明の詳細な説明】
【０００１】
【発明の属する技術分野】
この発明は、２人用茶刈り機の茶園中央部寄りから延びる可動式取っ手を２段式にした取っ手２段式茶刈り機に関するものである。
【０００２】
【従来の技術】
従来の２人用茶刈り機は、茶園中央部寄り及び、茶園端部寄りから延びる可動式取っ手がともに一つづつであった。
【０００３】
【発明が解決しようとする課題】
これは次のような欠点があった。
２人用茶刈り機による茶園の摘採は、往復することにより行っているが茶園が傾斜地にある場合、往路と復路での茶園中央部寄りから延びる可動式取っ手から地面までの高さが違っていた。
本発明は、以上のような欠点をなくすためになされたものである。
【０００４】
【課題を解決するための手段】
２人用茶刈り機（１）の茶園中央部寄りから延びる可動式取っ手（２）の上段に新たに可動式取っ手（３）を設ける。
本発明は、以上の構成よりなる取っ手２段式茶刈り機である。
【０００５】
【発明の実施の形態】
以下、本発明の実施の形態について説明する。
２人用茶刈り機（１）の茶園中央部寄りから延びる可動式取っ手（２）の上段に新たに可動式取っ手（３）を設ける。
本発明は、以上のような構成でこれを使用するときは、傾斜地の茶園に於いて先ず、茶園中央部寄りから延びる可動式取っ手（２）を谷側（傾斜地の低くなっている側）に持っていき、茶園中央部寄りから延びる取って（２）の高さ調節を行う。次に茶園中央部寄りから延びる可動式取っ手（２）を山側（傾斜地の高くなっている側）に持っていき、上段可動式取っ手（３）の高さ調節を行う。
その結果、往路（谷側）の茶園中央部寄りから延びる可動式取っ手（２）から地面までの高さと、復路（山側）の上段可動式取っ手（３）から地面までの高さを同じにすることができる。
【０００６】
【発明の効果】
取っ手から地面までの高さが同じになることにより作業者の姿勢が安定し、作業負担を軽減できる。
作業者の姿勢が安定することにより茶園の摘採面が一定となり、摘採茶葉の品質が向上する。
往路と復路に於いて茶園中央部寄りから延びる可動式取っ手（２）の高さ調節を行っていた者については、作業時間の短縮となる。
【図面の簡単な説明】
【図１】上段可動式取っ手（３）を可動式取っ手（２）に取り付けた斜視図である。
【図２】２人用茶刈り機本体の斜視図である。
【符号の説明】
１  ２人用茶刈り機本体
２  茶園中央部寄りから延びる可動式取っ手
３  茶園中央部寄りから延びる上段可動式取っ手
【手続補正２】
【補正対象書類名】図面
【補正対象項目名】全図
【補正方法】変更
【補正の内容】
【図１】
2004222714.tif 000005
【図２】
2004222714.tif 000006
(57)【要約】【課題】散歩中に犬が手（紐）から離れても、散歩者が発信機を作動させ、受信機に信号を送り、巻付部から止め具（シート状）を下げ、犬の暴走を止めることのできる動物用暴走止め装置を提供する。【解決手段】シート状の止め具を出し入れ自在に設けてなる止め装置と、止め具の出し入れを制御する制御部と、動物の首に取り付ける取付具とからなることを特徴とする。【選択図】  図１
2004222717.tif 000002
【特許請求の範囲】
【請求項１】
シート状の止め具を出し入れ自在に設けてなる止め装置と、止め具の出し入れを制御する制御部と、動物の首に取り付ける取付具とからなることを特徴とする動物用暴走止め装置。
【請求項２】
制御部が、止め具を巻き付けた巻付部に設けた電動モーターを制御する受信機と、受信機に信号を送る発信機とからなることを特徴とする請求項１記載の動物用暴走止め装置。
【請求項３】
止め具の下端が、地面より上方に位置するよう制御してなることを特徴とする請求項１又は２記載の動物用暴走止め装置。
【請求項４】
止め具の下端を地面に当て、たるむ位に下げた位置に制御してなることを特徴とする請求項１又は２記載の動物用暴走止め装置。
【請求項５】
止め具の下端に、ストップ棒を設けてなることを特徴とする請求項１、２、３又は４記載の動物用暴走止め装置。
【発明の詳細な説明】
【０００１】
【発明の属する技術分野】
本発明は、主に犬に使用するもので、散歩中に手を離れ暴走しても、自動的に止めることのできる動物用暴走止め装置に関するものである。
【０００２】
【従来の技術】
従来の技術として、同様なものはないが、一例として、先行者である飼主が携行する送信機から送信される誘導信号を受信する左右一対の受信機を備え、その各受信機が受信する誘導信号の強弱とその差によって送信機の位置と方向を検知し、前輪を左右に操舵し且つ後輪の駆動速度を自動制御して、先行者と一定の距離を保って追尾する飼犬先導車によって、それに犬鎖を介して繋着した飼犬を先導し、労力をかけずに安全に飼犬を散歩させることができるものがある。（特許文献１参照）
【０００３】
【特許文献１】
特開平１０−１７１５３３号公報（請求項１、図１）
【０００４】
【発明が解決しようとする課題】
上記の自動追尾式飼犬先導車は、肉体的弱者である女性や高齢者が飼犬を散歩させるとき、直接手で犬鎖や犬紐を握って犬を先導しなくてもよくするもので、直接手で散歩させるものでなく、突然手から紐が外れ、犬が暴走してしまうことはないが、高価なものであり、一般の人が購入して使用するものではない。
しかしながら、散歩中に犬が手から離れ暴走するケースは多く見られ、捕まえるのに苦労しているのが現状であり、新しい形態のものが望まれていた。
【０００５】
本発明は、上記の問題点に鑑みなされたもので、その目的は、散歩中に犬が手（紐）から離れても、散歩者が発信機を作動させ、受信機に信号を送り、巻付部から止め具（シート状）を下げ、犬の暴走を止めることのできる動物用暴走止め装置を提供するものである。
【０００６】
【課題を解決するための手段】
課題を解決するための手段として、シート状の止め具を出し入れ自在に設けてなる止め装置と、止め具の出し入れを制御する制御部と、動物の首に取り付ける取付具とからなること。また、制御部が、止め具を巻き付けた巻付部に設けた電動モーターを制御する受信機と、受信機に信号を送る発信機とからなること。さらに、止め具の下端が、地面より上方に位置するよう制御してなること。止め具の下端を地面に当て、たるむ位に下げた位置に制御してなること。その上、止め具の下端に、ストップ棒を設けてなることを特徴とする。
【０００７】
【発明の実施の形態】
１は、動物用暴走止め装置である。
２は、止め装置で、円筒ケース３内に設けた軸による巻付部２ａに、下端にストップ棒２ｂ１を設けたシート状の止め具２ｂ２を巻き付けてなるもので、出し入れ自在に設けてなる。
４は、上記巻付部２ａに設けた減速器４ａ１を付設した電動モーター４ａを右回転及び左回転等、制御する受信機４ｂと、受信機４ｂをＯＮ・ＯＦＦ等制御すべくボタン４ｃ１・４ｃ２を設けた発信機４ｃとからなる制御部である。
５は、特に犬の首に取り付けるバンド状の取付具である。
【０００８】
つぎに、使用例を述べる。
散歩時において、散歩者Ｓの手から犬Ｉが離れ暴走した時、散歩者Ｓは発信機４ｃのボタン４ｃ１をＯＮすることで、電動モーター４ａが作動し、巻付部２ａが回転し止め具２ｂ２が下がり、下端のストップ棒２ｂ１が地面より少し上方の位置にて止める。
この状態で、暴走した犬Ｉの前足Ｍに止め具２ｂ２（特にストップ棒２ｂ１）が当り、犬Ｉが違和感を感じ、止まる。
しかし、それでも暴走を続ける時は、ボタン４ｃ２をＯＮにし、さらに止め具２ｂ２を下げ、前足Ｍの下に入り込むようにする。
すると、さすがに犬Ｉも暴走するのを止める。
【０００９】
なお、上記実施例において、受信機４ｂと発信機４ｃとはＦＭ電波で送受信するものとし、干渉するのを防止するため周波数を複数設けるものとし、切り替えスイッチ等を設けてもよく、作動距離も特に限定しないが見える範囲（３００ｍ以内）でよい。
また、電動モーターは電池あるいはバッテリーで作動するものである。
さらに、止め具の素材、幅、長さ等は、必要に応じて設定すればよい。
さらにまた、電動モーターを左回転し、止め具を下げ、右回転させて止め具を上げるものであるが、反対でもよく、かつ同様な機能を有するものであれば、他の形態の止め装置でもよい。
【００１０】
【発明の効果】
１）、散歩中に犬が手（紐）から離れても、散歩者が発信機を作動させ、受信機に信号を送り、電動モーターを回転させ、止め具を下げることにより、犬の前足に止め具が当り、暴走を止めることができる効果がある。
２）、止め具の下端を地面よりやや上方に位置させることにより、犬に怪我させることなく止めることができる。
３）、ストップ棒により、一層犬に違和感を与え、より早く止めることができる。
４）、どうしても暴走を止められない場合は、止め具の下端をさらに下げることにより前足を巻き込ませ、強制的に止めることができる。
【図面の簡単な説明】
【図１】本発明の動物用暴走止め装置の構成を示す斜視図。
【図２】本発明の動物用暴走止め装置の要部の底面図。
【図３】本発明の動物用暴走止め装置の使用状態図。
【図４】本発明の動物用暴走止め装置の止まった時の状態図。
【符号の説明】
１−−−動物用暴走止め装置
２−−−止め装置
３−−−円筒ケース
４−−−制御部
５−−−取付具
Ｉ−−−犬
Ｓ−−−散歩者
【図１】
2004222717.tif 000003
【図２】
2004222717.tif 000004
【図３】
2004222717.tif 000005
【図４】
2004222717.tif 000006
(57)【要約】【課題】犬を運動（散歩）させる場合の糞の処理は、その都度姿勢を低くして、テイッシュで包んで持ちかえり燃えるごみとして処理するか、又は穴を掘って埋めるかしなければならない。いずれにしても姿勢を低くしなければならず特に雨の日の処理は大変であつた。本発明は、それを解決する為に、立ったままで糞を収納できる糞収納器を提供する。【解決手段】バケット１に約６５ｃｍの柄を取り付け把手部７でバケット１を垂直から水平に又、水平から垂直にできるようにした事で、立つたまま、なお且つ片手で糞をバケットに収納出来るようにする。【選択図】  図１
2004222710.tif 000002
【特許請求の範囲】
【請求項１】
糞を収納する可動バケット・蓋付き柄・ストッパー用レバー付きワイヤー及びスプリングを組み合わせる事により、立つたままの姿勢でなお且つ片手で糞をバケットに収納出来るようにした糞収納器。
【発明の詳細な説明】
【０００１】
【発明の属する新分野】
本発明は、犬を運動させる時の糞を立つたままの姿勢でなお且つ片手で糞をバケットに収納する為に、可動バケット・蓋付き柄・ストッパ用レバー付きワイヤー及びスプリングを組み合わせることにより可能にしたものである。
【０００２】
【従来の技術】
従来は、立つたままで犬の糞を収納できるものはなかつた。
【０００３】
【発明が解決しようとする課題】
現在は、犬が糞をした場合、その度に姿勢を低くしてテイッシュ等で包んで持ちかえり燃えるごみとして処理又は、穴を掘って埋める処理をしている状況である。いずれにしても姿勢を低くして作業をしなければならず特に雨の日は大変な作業であつた。本発明は、この課題を解決するための物である。
【０００４】
【課題を解決するための手段】
可動バケット１に約６５ｃｍの蓋付き柄２を取り付け把手部７でバケット１を垂直から水平に又、水平から垂直にできるようにした。
【０００５】
【発明の実施の形態】
糞収納器は垂直の状態で持ち歩き、蓋付き柄２とバケット１は平行になるようにレバー付きワイヤー３で固定されバケット１と蓋部４は密着している。バケット１を使用する場合レバー５を引くとバケット１は固定から解除され水平の状態となる。レバー５を離すとスプリング６により水平の状態に固定される。
以下に試作品の材質・寸法を示します。（参考）
2004222710.tif 000003
【０００６】
【発明の効果】
実際に使用した結果、立つたままの姿勢で片手で簡単にバケットに収納できた。特に雨の日は便利であった。
収納した糞は持ちかえりトイレにて処理が可能である。
【図面の簡単な説明】
【図１】本発明の糞収納時の立面図。
【図２】本発明の持ち歩く時の立面図。
【図３】本発明の糞収納時の正面図。
【図４】本発明のレバー５部分の詳細図。
【図５】本発明の糞収納時のバケット固定部詳細図。
【図６】本発明の持ち運び時のバケット固定詳細図。
【符号の説明】
１  バケット
２  柄
３  ワイヤー
４  蓋
５  レバー
６  スプリング
７  把手
【図１】
2004222710.tif 000004
【図２】
2004222710.tif 000005
【図３】
2004222710.tif 000006
【図４】
2004222710.tif 000007
【図５】
2004222710.tif 000008
【図６】
2004222710.tif 000009
(57)【要約】【課題】松茸の風味を料理に使いやすくするための醸造酒【解決手段】松茸からアルコール醸造に必要な果汁を準備する。【特許請求の範囲】
【請求項１】
松茸を原材料に使用した醸造酒
【発明の詳細な説明】
この考案は松茸を原材料として醸造酒を製造することである。
松茸の風味を生かすことができ、
保存性、用途が広く料理などの利便性に優れる。
従来松茸を調味料として使用するには生で使用するか、フリーズドライを含め乾燥して使用している。保存性、利便性が悪く香りにばらつきがあり見栄えの悪いことがあり、使用できる料理に限りがあった。
本案はその欠点を取り除くために考案されたもので、醸造最初の果汁作りの工程で原材料として松茸を用いる。生松茸にアルコール発酵にふさわしくない菌が繁殖する場合は乾燥松茸を使うか、水を用いて松茸を煮沸したものを使用する。後の工程は通常の白ワイン等の醸造工程で処理をする。
(57)【要約】【課題】  １つのローターの幅を拡大することにより、排気量を増加させ、最高出力・最大トルクの向上を提供する。【解決手段】  １つのローターの幅を１．５倍に拡大する。【選択図】図１
2004270703.tif 000002
【特許請求の範囲】
【請求項１】
１つのローターの幅を拡大し、排気量を増加した改良型ロータリーエンジン。
【発明の詳細な説明】
【技術分野】
【０００１】  この発明は１つのローターの幅を拡大したロータリーエンジンに関するものである。
【背景技術】
【０００２】  従来のロータリーエンジンの１つのローターは６５４ｃｃである。
【発明の開示】
【発明が解決しようとする課題】
【０００３】  従来のロータリーエンジンは、１つのローターは６５４ｃｃしかなかった。そのため、低迷トルクがなく、過給器に頼らざるをえなかった。本発明はこれらの欠点を除くためになされたものである。
【課題を解決するための手段】
【０００４】  １つのローターの幅を従来型より１．５倍拡大し、６５４ｃｃから９８１ｃｃに増加する。本発明は以上のような構成よりなる、ロータリーエンジンである。
【発明の効果】
【０００５】  発明は以上のような構造でこれにより２つのローターで１９６２ｃｃに増加し最高出力・最大トルク両方共、大幅に向上する。そのため、過給器なしでも十分通用する。
【図面の簡単な説明】
【０００６】
【図１】  本発明の断面図である。
【図１】
2004270703.tif 000003
(57)【要約】【課題】リーフへの組付方向を変更するのみでリーフスプリングのバネ定数を変更することができるリーフスプリングパッドを提供する。【解決手段】リーフ１の上面中央部に重ね合わされてＵボルト３で締付固定されるスプリングパッド２の表面の長さと裏面の長さを異ならせたことにより、リーフ１に対するスプリングパッド２の組付方向を変更するのみでＵボルト３による締付固定にともなう絞め殺し長さを変化させ、もって、リーフスプリングのばね定数を異ならせることができるようにした。【選択図】        図１
2004270717.tif 000002
【特許請求の範囲】
【請求項１】
リーフの上面中央部にスプリングパッドを重ね合わせて両者をＵボルトで締付固定するようにした車両用リーフスプリングにおいて、リーフスプリングの長さ方向に沿うスプリングパッドの表面の長さと裏面の長さを異ならせたことを特徴とする車両用リーフスプリングパッド。
【発明の詳細な説明】
【０００１】
【発明の属する技術分野】
本発明は車両用リーフスプリングに組み込まれるスプリングパッドに関するものである。
【０００２】
【従来の技術】
従来の車両用リーフスプリングパッドは、リーフの幅と、リーフをアクスルに締付固定するＵボルトの取付幅に必要最小限の長さに応じたものであった。このために、従来では車両の仕様ごとに専用のスプリングパッドを用意して所定のばね定数のリーフスプリングを構成する必要性があったために、車種の増加にともなってスプリングパッドの種類を増やす必要性があった（特許文献参照）。
【０００３】
【特許文献】
特開平９−３９５３３号公報
【０００４】
【発明が解決しようとする課題】
本発明は上記実情に鑑みてなされたものであって、リーフへの組付方向を変更するのみでリーフスプリングのバネ定数を変更することができるリーフスプリングパッドを提供することを課題としている。
【０００５】
【課題を解決するための手段】
上記課題を解決するために本発明は、リーフの上面中央部に重ね合わされてＵボルトで締付固定されるスプリングパッドの表面の長さと裏面の長さを異ならせたことを特徴としている。
【０００６】
【発明の実施の形態】
以下に本発明の実施形態を図に基づいて詳細に説明する。図１は本発明に係る車両用リーフスプリングパッドの一実施形態を示すリーフへの取付状態を示す要部の斜視図であり、重ね合わせた複数枚のリーフ１の上面中央にスプリングパッド２を重ね合わせている。３はリーフ１とスプリングパッド２をアクスル４に締付固定するＵボルトである。
【０００７】
スプリングパッド２は、図２に示したようにリーフ１の幅とほぼ同一幅に形成されており、その表面および裏面にそれぞれＵボルト３の位置決め溝５を形成している。また、スプリングパッド２におけるスプリングの長さ方向に沿う寸法、すなわち、スプリングパッド２の表面の長さと裏面の長さを異ならせることにより、スプリングパッド２を表裏反転させることでＵボルト３によるリーフ１に対する絞め殺し長さを変化させることができるようにしている。
【０００８】
すなわち、Ｕボルト３による締付固定により、リーフ１はスプリングパッド２との当接領域が絞め殺し状態になる。また、この絞め殺し長さが変化すると、リーフ１のばね定数が変化する。
【０００９】
従って、図１に示したようにスプリングパッド２の裏面をリーフ１の上面に当接させてＵボルト３で締付固定した場合と、スプリングパッド２を表裏反転させてその表面をリーフ１の上面に重ね合わせてこれをＵボルト３で締付固定した場合では、スプリングパッド２の押圧による締め殺しの長さが変化するために、リーフ１のばね定数が変化する。
【００１０】
このために、同一のリーフ１およびスプリングパッド２を用いるにも拘らず、ばね定数の異なる２種のリーフスプリングを構成することが可能となり、予め用意すべきリーフ１およびスプリングパッド２の種類を減少することができる。
【００１１】
なお、上記実施形態においては、図１および図２に示したようにスプリングパッド２の端面を段付面で構成することにより、スプリングパッド２の表面の長さと裏面の長さを異ならせているが、図３に示したように端面を傾斜面で構成してスプリングパッド２の表面の長さと裏面の長さを異ならせることもできる。
【００１２】
さらに、例えば図３に示した実施形態のようにスプリングパッド２の表面および裏面と端面が形成する稜線を円弧状の曲面などで構成した場合は、スプリングパッド２とリーフ１の当接領域境界部分における応力集中を回避することが可能となる。
【００１３】
さらにまた、リーフスプリングのばね定数を変化させるに際しては、Ｕボルト３の取付位置を変化させることが有効であり、スプリングパッド２に形成するＵボルト３の位置決め溝５の位置を表面と裏面で異ならせ、または、複数条の位置決め溝を予め形成してＵボルト３の取付位置を必要に応じて選択することもできる。
【００１４】
【発明の効果】
以上の説明から明らかなように本発明は、スプリングパッドの表面の長さと裏面の長さを異ならせたものであるから、リーフに対するスプリングパッドの組付方向を変更するのみでリーフスプリングのばね定数を異ならせることができるために、多数種のリーフスプリングを製造するに際しても予め用意すべきリーフあるいはスプリングパッドの種類を削減することが可能となる。
【図面の簡単な説明】
【図１】本発明に係る車両用リーフスプリングパッドの一実施形態を示すリーフへの取付状態を示す要部の斜視図である。
【図２】図１に示したスプリングパッドの斜視図である。
【図３】他の実施形態を示すスプリングパッドの側面図である。
【符号の説明】
１    リーフ
２    スプリングパッド
３    Ｕボルト
４    アクスル
５    位置決め溝
１１
【図１】
2004270717.tif 000003
【図２】
2004270717.tif 000004
【図３】
2004270717.tif 000005